(57)【要約】【課題】複数のアングル映像や複数のストーリ映像を含むコンテンツが記録された記録媒体を再生する際に、ユーザが容易に各映像の内容を確認できる映像再生装置を提供する。【解決手段】映像再生装置は、複数のアングル映像が記録された記録媒体から読み出した映像データを、指定された時間毎に切り替えて表示するので、ユーザは映像再生装置をモニタに接続することで、映像の切り替え操作を行うことなく、一定時間毎に切り替わる複数の映像をモニタの画面全体に表示させて確認することができる。また、ユーザは、各アングル映像の内容をしばらく確認後に、映像切り替え停止指示が入力することで、好みの映像を選択して表示させることができる。さらに、映像再生装置が複数のデータを読み出して切り替える時間を目的に応じて変更することができる。【選択図】図３
2004328225.tif 000002
【特許請求の範囲】
【請求項１】
複数のアングル映像を含むコンテンツが記録されたＤＶＤから選択的にアングル映像データを読み出す読み出し手段と、
前記読み出し手段が読み出したアングル映像データに基づく映像を出力する出力手段と、を備えたＤＶＤプレーヤにおいて、
前記読み出し手段は、
映像切り替え指示が入力されると、前記複数のアングル映像データの読み出しを、予め指定されている切り替え時間毎に順番に切り替え、
映像切り替え停止指示が入力されると、アングル映像データの読み出しを切り替えるのを中止して、前記映像切り替え停止指示が入力された時に読み出していたアングル映像データを継続して読み出し、
切り替え時間変更指示が入力されると、この指示で指定された切り替え時間毎にアングル映像データの読み出しを切り替え、
映像指定指示が入力されると、この入力で指定された複数のアングル映像データを前記切り替え時間毎に切り替えて読み出すことを特徴とするＤＶＤプレーヤ。
【請求項２】
複数のアングル映像を含むコンテンツが記録された記録媒体から選択的にアングル映像データを読み出す読み出し手段と、
前記読み出し手段が読み出したアングル映像データに基づく映像を出力する出力手段と、を備えた映像再生装置において、
前記読み出し手段は、映像切り替え指示が入力されると、前記複数のアングル映像データの読み出しを、予め指定されている切り替え時間毎に順番に切り替えることを特徴とする映像再生装置。
【請求項３】
前記読み出し手段は、映像切り替え停止指示が入力されると、アングル映像データの読み出しを切り替えるのを中止して、前記映像切り替え停止指示が入力された時に読み出していたアングル映像データを継続して読み出す請求項２に記載の映像再生装置。
【請求項４】
前記読み出し手段は、切り替え時間変更指示が入力されると、この指示で指定された切り替え時間毎にアングル映像データの読み出しを切り替える請求項２または３に記載の映像再生装置。
【請求項５】
前記読み出し手段は、映像指定指示が入力されると、この入力で指定された複数のアングル映像データを前記切り替え時間毎に切り替えて読み出す請求項２乃至４のいずれかに記載の映像再生装置。
【発明の詳細な説明】
【０００１】
【発明の属する技術分野】
本発明は、複数のアングル映像や複数のストーリ映像を含むコンテンツが記録された記録媒体からこれらの映像を選択的に再生する映像生成装置に関する。
【０００２】
【従来の技術】
近時、メディアや再生装置の低価格化に伴い、ＤＶＤが急速に普及しつつある。ＤＶＤは、様々なデータを記録することが可能であり、再生専用のＤＶＤの場合、記録されているデータに応じて、コンピュータ用のデータフォーマット（ＤＶＤ−ＲＯＭ）、音楽用のオーディオフォーマット（ＤＶＤ−Ａｕｄｉｏ）、映像用のビデオフォーマット（ＤＶＤ−Ｖｉｄｅｏ）が規定されている。
【０００３】
映画、ライブ、カラオケなどのコンテンツは、ビデオフォーマットで記録されており、このフォーマットで記録されたＤＶＤには、字幕、場面の説明、メニュー、カラオケの歌詞表示など映像に重ねるデータがサブピクチャ・データとして記録されているものがある。ユーザは、例えばＤＶＤに記録された洋画を視聴する際に、好みに応じて日本語の字幕を英語の字幕や場面説明に切り替えることができる。
【０００４】
また、ビデオフォーマットで記録されたＤＶＤには、複数のカメラアングルで撮影した映像を切り替えて表示可能なマルチアングルや、ユーザの選択によってストーリや結末が変化するマルチストーリなどの機能を実現するために、複数の映像データが記録されているものがある。ユーザは、例えばＤＶＤに記録されたコンサートの映像を視聴する際に、好みに応じてステージの全体風景や歌手のアップなどを切り替えて楽しむことができる。
【０００５】
ところで、複数の映像データを含むコンテンツが記録されたＤＶＤをＤＶＤプレーヤで再生した際に、ユーザは、ＤＶＤプレーヤの入力部やリモコンを操作しなければ、アングル映像を切り替えたり、ストーリ映像を選択したりすることができなかった。そのため、ユーザは、複数のアングル映像や複数のストーリ映像を確認するために、入力部やリモコンの操作を続けなければならず、コンテンツを集中して視聴できないという問題があった。
【０００６】
そこで、ＤＶＤに記録された複数のアングル映像データを読み出して、同時に全てのアングル映像を画像モニタの画面に縮小表示させるマルチアングル再生装置があった（例えば、特許文献１参照。）。
【０００７】
ユーザは、このマルチアングル再生装置を使用することで、ＤＶＤに収録されている複数のアングル映像を全て確認することができる。また、ユーザは、全てのアングル映像の中から所望のアングル映像を選択することができる。
【０００８】
【特許文献１】
特開２００２−１５２６８４号公報（第４−６頁、第４−６図）。
【０００９】
【発明が解決しようとする課題】
しかしながら、ユーザは、上記のように全てのアングル映像が表示された画面の中から、縮小表示された各アングル映像を確認しなければならないので、アングル映像を非常に確認しづらいという問題があった。また、ユーザは、ＤＶＤプレーヤに各アングル映像を縮小させずに表示させるためには、入力部やリモコンを操作して各アングル映像を切り替えなければならず、従来のＤＶＤプレーヤと同様の操作を行わなければならないという問題があった。
【００１０】
そこで、本発明は、複数のアングル映像や複数のストーリ映像を含むコンテンツが記録された記録媒体を再生する際に、ユーザが容易に各映像の内容を確認できる映像再生装置を提供することを目的とする。
【００１１】
【課題を解決するための手段】
この発明は、上記の課題を解決するための手段として、以下の構成を備えている。
【００１２】
（１）複数のアングル映像を含むコンテンツが記録された記録媒体から選択的にアングル映像データを読み出す読み出し手段と、
前記読み出し手段が読み出したアングル映像データに基づく映像を出力する出力手段と、を備えた映像再生装置において、
前記読み出し手段は、映像切り替え指示が入力されると、前記複数のアングル映像データの読み出しを、予め指定されている切り替え時間毎に順番に切り替えることを特徴とする。
【００１３】
この構成においては、映像再生装置は、複数のアングル映像が記録された記録媒体から読み出した映像データを、指定された時間毎に切り替えて表示するので、ユーザは映像再生装置をモニタに接続することで、映像の切り替え操作を行うことなく、一定時間毎に切り替わる複数の映像をモニタの画面全体に表示させて確認することができる。したがって、ユーザは、記録媒体に記録された複数のアングル映像の内容をそれぞれ把握できる。
【００１４】
（２）前記読み出し手段は、映像切り替え停止指示が入力されると、アングル映像データの読み出しを切り替えるのを中止して、前記映像切り替え停止指示が入力された時に読み出していたアングル映像データを継続して読み出すことを特徴とする。
【００１５】
この構成においては、ユーザは、各アングル映像の内容をしばらく確認後に、好みの映像を選択して表示させることができる。
【００１６】
（３）前記読み出し手段は、切り替え時間変更指示が入力されると、この指示で指定された切り替え時間毎にアングル映像データの読み出しを切り替えることを特徴とする。
【００１７】
この構成においては、ユーザは、映像再生装置が複数のデータを読み出して切り替える時間を目的に応じて変更することができる。例えば、映像再生装置の映像切り替え時間の初期値が３０秒に設定されている時に、ユーザは、マルチ映像の１つの映像を選択して表示させたい場合には、５秒など初期値よりも短い時間で複数の映像が順次切り替わるように切り替え時間を変更することができる。また、ユーザは、複数の映像を順次切り替えて表示させたい場合には、１分など初期値よりも長い時間に切り替え時間を設定することができる。
【００１８】
（４）前記読み出し手段は、映像指定指示が入力されると、この入力で指定された複数のアングル映像データを前記切り替え時間毎に切り替えて読み出すことを特徴とする。
【００１９】
この構成においては、ユーザはマルチ映像を構成する全ての映像から、特定の映像を選択して読み出すように設定することができる。したがって、ユーザは好みの複数の映像を切り替えてモニタに表示させることができる。
【００２０】
【発明の実施の形態】
以下、本発明の実施形態に係る映像再生装置について、図を参照しながら説明する。図１は、本発明の実施形態に係る映像再生装置の概略構成を示したブロック図である。映像再生装置であるＤＶＤプレーヤ１は、映像及び音声を再生するモニタ３に接続されており、ＤＶＤ２の記録面に記録されたデータを読み取ってコンテンツの映像や音声の信号をモニタ３に出力する。
【００２１】
ＤＶＤプレーヤ１は、読み取り部１１、信号分離部１２、映像処理部１３、字幕映像生成部１４、映像合成部１７、映像出力部１８、ビデオ出力端子１９、音声処理部２１、音声出力部２２、オーディオ出力端子２３、モータ３１、サーボシステム部３２、操作部４１、制御部４２、及び記憶部４３を備えている。
【００２２】
読み取り部１１は、光ピックアップ１１ａを備えており、ＤＶＤ２の記録面に対し光ピックアップ１１ａからレーザ光を照射してデータを読み取り、復調、誤り訂正を行った信号を信号分離部１２へ出力する。信号分離部１２は、読み取り部１１から出力された信号から映像データ、字幕データ、及び音声データを抽出・分離して、映像データを映像処理部１３へ、字幕データを字幕映像生成部１４へ、音声データを音声処理部２１へ、それぞれ出力する。
【００２３】
映像処理部１３は、信号分離部１２から出力された映像データをデコードして映像合成部１７へ出力する。字幕映像生成部１４は、信号分離部１２から出力された字幕データをデコードして映像合成部１７へ出力する。映像合成部１７は、映像処理部１３から出力された映像データに、字幕映像生成部１４から出力された字幕データを合成した合成映像を生成して、この合成映像の信号を、映像出力部１８へ出力する。映像信号出力部１８は、映像合成部１７から出力された合成映像信号を、ＮＴＳＣフォーマットの信号にエンコードし、さらにアナログ信号に変換してビデオ出力端子１９から出力する。
【００２４】
音声処理部２１は、信号分離部１２から出力された音声データを処理して、音声出力部２２へ出力する。音声出力部２２は、音声処理部２１から出力されたディジタルの音声データをアナログの信号に変換してオーディオ出力端子２３から出力する。
【００２５】
モータ３１は、ＤＶＤ２の回転を制御する。サーボシステム部３２は、モータ３１、及び光ピックアップ１１ａのサーボ機構を制御する。
【００２６】
操作部４１は、ユーザがＤＶＤプレーヤ１に対して各種の操作を行うためのものである。制御部４２は、ＤＶＤプレーヤ１の各部を制御する。記憶部４３は、制御部４２が各部を制御する制御プログラムや各種の設定値などを記憶する。
【００２７】
次に、本発明の実施形態に係るＤＶＤプレーヤ１の特有の機能を説明する。ＤＶＤプレーヤ１は、複数のアングル映像を含むコンテンツが記録されたＤＶＤ２を再生中に、操作部４１から映像切り替え指示が入力されると、再生中の映像データに複数のアングル映像が含まれている場合、アングル映像を一定時間毎に切り替えて出力する。また、ＤＶＤプレーヤ１は、ＤＶＤ２の複数のアングル映像が記録されていない部分を再生中に、操作部４１から映像切り替え指示が入力されると、複数のアングル映像が記録された部分の再生を開始する際に、アングル映像を一定時間毎に切り替えて出力する。すなわち、ＤＶＤプレーヤ１では、制御部４２が、操作部４１から入力された映像切り替え指示に応じた信号を検出すると、読み取り部１１が複数のアングル映像が記録された部分の映像データを読み出している場合には、ユーザが指定した切り替え時間毎にアングル映像データの読み出しを切り替えさせる。これにより、読み取り部１１は、切り替え時間毎に異なるアングル映像データを出力するので、読み取り部１１よりも後段の各部で信号処理が成されて、モニタ３の画面には、切り替え時間毎に異なるアングル映像が表示される。
【００２８】
また、ＤＶＤプレーヤ１は、操作部４１から映像切り替え指示が入力されると、通常、複数のアングル映像を順番に再生するように設定されている。図２は、複数のアングル映像の例を示した図である。例えば、ＤＶＤ２に、アングル映像１（全体：図２（Ａ））、アングル映像２（人物Ａ：図２（Ｂ））、及びアングル映像３（人物Ｂ：図２（Ｃ））の３つのアングル映像が収録されている場合、ＤＶＤプレーヤ１の制御部４２は、アングル映像１→アングル映像２→アングル映像３→アングル映像１→アングル映像２→・・・という順番に読み取り部４１に各アングル映像のデータを読み取らせる。そして、制御部４２は、ユーザが操作部４１から映像切り替え停止指示を入力したことを検出すると、または、アングル映像１〜３の収録部分の再生が終了すると、アングル映像の切り替え再生を停止させる。
【００２９】
また、ＤＶＤプレーヤ１には、複数のアングル映像を切り替える時間（切り替え時間）が初期値として設定されており、通常は切り替え時間の初期値（例えば３０秒）が経過する毎に、アングル映像の表示が切り替わるように、読み取り部１１が異なるアングル映像のデータを読み取って出力する。ユーザは、ＤＶＤプレーヤ１の切り替え時間の初期値を変更することが可能であり、切り替え時間の変更を、予め行うこともできるし、ＤＶＤプレーヤ１でＤＶＤ２を再生中に行うこともできる。ユーザは、複数のアングル映像のうち、１つの映像を選択して表示させたい場合には、例えば５秒など初期値よりも短い時間で複数の映像が順次切り替わるように切り替え時間を変更することができる。また、ユーザは、複数のアングル映像を順次切り替えて表示させたい場合には、例えば１分など初期値よりも長い時間に切り替え時間を設定することができる。制御部４２は、ユーザが切り替え時間の変更を操作部４１で行ったことを検出すると、変更された切り替え時間を記憶部４３に記憶させ、読み取り部１１にこの切り替え時間毎にアングル映像のデータの読み出しを切り替えさせる。
【００３０】
また、ユーザは、ＤＶＤプレーヤ１がアングル映像を選択する順番をランダムに選択するように設定することができる。さらに、ユーザは、ＤＶＤプレーヤ１が選択したアングル映像を再生する時間がランダムに変化するように設定することができる。制御部４２は、ユーザが上記操作を操作部４１で行ったことを検出すると、変更内容を記憶部４３に記憶させるとともに乱数を発生させて、この乱数に基づいてアングル映像を選択する順番やアングル映像を再生する時間がランダムに変化するように、ＤＶＤ２に記録されたアングル映像のデータを読み取り部１１に読み出させる。ユーザは、ＤＶＤプレーヤ１がこのような再生を行うように設定することで、ランダムに切り替わるアングル映像を楽しむことができる。
【００３１】
また、ユーザは、ＤＶＤプレーヤ１が複数のアングル映像が収録されたＤＶＤ２の各アングル映像を再生中に、操作部４１から映像指定指示を入力することで、特定のアングル映像の再生を中止させて、所望のアングル映像の出力が切り替わるように設定することができる。例えば、ＤＶＤプレーヤ１が図２に示したアングル映像１〜３が収録されたＤＶＤ２の各アングル映像を切り替え時間毎に再生を切り替えながら順番に再生中に、ユーザがアングル映像１及びアングル映像２を再生するように操作部４１から映像指定指示を入力すると、ＤＶＤプレーヤ１の制御部４２は、切り替え時間毎に交互にアングル映像１のデータとアングル映像２のデータとを読み取り部１１に再生させる。
【００３２】
また、ユーザは、ＤＶＤプレーヤ１が複数のアングル映像や複数のストーリ映像が収録されたＤＶＤ２を再生する際に、各アングル映像や各ストーリ映像を１つずつ途中で切り替えることなく、順番に再生するように設定することができる。制御部４２は、操作部４１でこの設定が成されたことを検出すると、記憶部４３にこの設定内容を記憶させるとともに、読み取り部１１に各アングル映像や各ストーリ映像を１つずつ途中で切り替えることなく順番に再生させる。ユーザは、ＤＶＤプレーヤ１にこの設定をすることで、複数のアングル映像や複数のストーリ映像を、切り替える操作を行うことなく、全ての映像を確認することができる。
【００３３】
また、ユーザは、ＤＶＤプレーヤ１が複数のアングル映像やストーリ映像を、切り替え時間毎に切り替えながら再生中に、操作部４１から送り指示を入力することで、現在再生中の映像を停止させて次に再生する映像に切り替えることができる。制御部４２は、操作部４１でこの設定が成されたことを検出すると、この設定内容を記憶部４３に記憶させるとともに、読み取り部１１に現在再生中の映像を停止させて次に再生する映像に切り替えさせる。これにより、ユーザは、例えばアングル映像の選択中に不要なアングル映像の表示をキャンセルすることができる。
【００３４】
次に、ＤＶＤプレーヤ１が、複数のアングル映像を含むコンテンツを記録されたＤＶＤ２を再生する際の動作をフローチャートに基づいて説明する。図３は、ＤＶＤプレーヤが、複数のアングル映像を含むコンテンツを記録されたＤＶＤを再生する場合の動作を説明するためのフローチャートである。
【００３５】
ユーザは、複数のアングル映像を含むコンテンツが記録されたＤＶＤ２をＤＶＤプレーヤ１にセットして、ＤＶＤ２を再生するために操作部４１を操作する。制御部４２は、操作部４１からこの操作に応じた信号が出力されたことを検出すると、読み取り部１１に映像データを読み取らせて、ＤＶＤ２の再生を開始する（ｓ１）。ＤＶＤプレーヤ１の制御部４２は、ＤＶＤ２のコンテンツを再生中に、複数のアングル映像が記録された部分になると、図２に示したように映像の端部にアングルの切り替えボタンを表示するように、映像データを映像合成部に出力させる。ユーザは、モニタ３の表示画面にアングルの切り替えボタンが表示されると（ｓ２）、複数のアングル映像から好みのアングル映像を選択して表示させるために、操作部４１を操作して映像切り替え指示を入力する。ＤＶＤプレーヤ１の操作部４１は、操作に応じた信号を制御部４２へ出力し、制御部４２はこの信号を検出すると（ｓ３）、再生するアングル映像を予め設定された切り替え時間毎に（例えば３０秒毎に）切り替えながら、ＤＶＤ２のアングル映像のデータを読み取り部１１に読み取らせて、アングル映像を再生する（ｓ４）。
【００３６】
ユーザは、しばらくの間複数のアングル映像をモニタ３で確認していたが、アングル映像の切り替え時間を５秒に変更するために、操作部４１を操作して切り替え時間変更指示を入力する。操作部４１は、この操作に応じた信号を制御部４２へ出力し、制御部４２はこの信号を検出すると（ｓ５）、アングル映像の切り替え時間を５秒に変更する。これにより、読み取り部１１は、ＤＶＤ２に記録されているアングル映像を５秒毎に切り替えながら、各アングル映像のデータを順次読み出しする。読み取り部１１よりも後段の各部は、読み取り部１１から出力されたアングル映像のデータを処理してモニタ３へ出力する（ｓ６）。
【００３７】
また、ユーザは、アングル映像１〜３のうちアングル映像１の再生を停止させてアングル映像２及びアングル映像３を表示させるために、操作部４１を操作して映像指定指示を入力する。ＤＶＤプレーヤ１の操作部４１は、この操作に応じた信号を制御部４２へ出力し、制御部４２はこの信号を検出すると（ｓ７）、読み出し部１１にアングル映像１を再生しないように設定する。これにより、読み出し部１１は、アングル映像２とアングル映像３とを５秒毎に切り替えて再生する（ｓ８）。
【００３８】
続いて、ユーザは、アングル映像の切り替え再生を停止して、アングル映像２のみを表示させるために、操作部４１を操作して映像切り替え停止指示を入力する。操作部４１は、この操作に応じた信号を制御部４２へ出力し、制御部４２はこの信号を検出すると（ｓ９）、読み取り部１１にアングル映像の切り替えを停止させる。これにより、読み取り部１１は、ＤＶＤ２に記録されているアングル映像の切り替え再生を停止して、アングル映像２のみを再生する（ｓ１０）。
【００３９】
制御部４２は、複数のアングル映像が記録された部分の再生が終了すると、アングル映像２のデータが無くなるので、標準データを再生し、複数のアングル映像が記録された部分を再生する際には、ステップｓ１〜ステップｓ１０の処理を行う。また、ＤＶＤ２のデータ領域の再生が完了したか、ユーザが操作部４１を操作してＤＶＤ２の再生停止指示を入力すると（ｓ１１）、ＤＶＤ２の再生処理を終了する。
【００４０】
なお、以上の説明では、複数のアングル映像やストーリ映像を含むコンテンツが記録されたＤＶＤを再生する場合について説明したが、本発明は記録媒体をＤＶＤに限定するものではなく、もちろん他の記録媒体であって、複数のアングル映像やストーリ映像を含むコンテンツが記録されたものであれば本発明を適用できる。また、記録媒体としては、例えば、ＣＤ（コンパクトディスク）、ＢＤ  （ブルーレイディスク）、ＭＯ（光磁気ディスク）、ＭＤ（ミニディスク）、ＨＤ（ハードディスク）などであっても良い。
【００４１】
【発明の効果】
本発明によれば、以下の効果が得られる。
【００４２】
（１）映像再生装置は、複数のアングル映像が記録された記録媒体から読み出した映像データを、指定された時間毎に切り替えて表示するので、ユーザは映像再生装置をモニタに接続することで、映像の切り替え操作を行うことなく、一定時間毎に切り替わる複数の映像をモニタの画面全体に表示させて確認することができる。これにより、ユーザは、記録媒体に記録された複数のアングル映像の内容をそれぞれ把握できる。
【００４３】
（２）ユーザは、各アングル映像の内容をしばらく確認後に、好みの映像を選択して表示させることができる。
【００４４】
（３）ユーザは、映像再生装置が複数のデータを読み出して切り替える時間を目的に応じて変更することができる。
【００４５】
（４）ユーザはマルチ映像を構成する全ての映像から、好みの複数の映像を切り替えてモニタに表示させることができる。
【図面の簡単な説明】
【図１】本発明の実施形態に係る映像再生装置の概略構成を示したブロック図である。
【図２】複数のアングル映像の例を示した図である。
【図３】ＤＶＤプレーヤが、複数のアングル映像を含むコンテンツを記録されたＤＶＤを再生する場合の動作を説明するためのフローチャートである。
【符号の説明】
１−ＤＶＤプレーヤ、１１−読み取り部、１２−信号分離部、１３−映像処理部、１４−主字幕映像生成部、１５−記憶部、１６−副字幕映像生成部、１７−映像合成部、１８−映像出力部、１９−ビデオ出力端子、２１−音声処理部、２２−音声出力部、２３−オーディオ出力端子、３１−モータ、３２−サーボシステム部、４１−操作部、４２−制御部
【図１】
2004328225.tif 000003
【図２】
2004328225.tif 000004
【図３】
2004328225.tif 000005